(57)【要約】【課題】  従来の折版屋根における雪止め具が専ら積雪の滑落阻止を目的としていたのに対し、本発明は融雪能力を高めるとともに折版屋根の山部分の折損等事故の発生を防止することを目的とする。【解決手段】  谷部をはさんで左右両側の山部から成る折版屋根体ａの谷部において、全体が箱形状に成るように左右両傾斜面部に傾斜線材を設けるとともにその前後両面部及び中間部に線材をそれぞれ架設した雪止め部材１を設置して成るものである。前記雪止め部材の左右両傾斜線材の上端部の前後側部間に懸架した固定板２１，２１の前後部に折版屋根体の山部に設置する曲折帯片２３，２３，２３，２３を取付け、この両曲折帯片の直立部２３’，２３’，２３’，２３’と折版屋根体の山部の反対側に設置する他の曲折帯片の直立部とを山部においてそれぞれ固着して成る。【選択図】    図１
2013238070.tif 000002
【特許請求の範囲】
【請求項１】
谷部をはさんで左右両側の山部から成る折版屋根体の谷部において、全体が箱形状に成るように左右両傾斜面部に傾斜線材を設けるとともに、その前後両面部及び中間部に線材をそれぞれ架設した雪止め部材を設置して成ることを特徴とする折版屋根用雪止め具。
【請求項２】
請求項１に係る雪止め部材の左右両傾斜線材の上端部の前後側部間に懸架した固定板の前後部に折版屋根体の山部に設置する曲折帯片を取付け、この両曲折帯片の直立部と折版屋根体の山部の反対側に設置する他の曲折帯片の直立部とを山部においてそれぞれ固着して成ることを特徴とする折版屋根用雪止め具。
【発明の詳細な説明】
【技術分野】
【０００１】
本発明は、折版屋根用雪止め具に関するものである。
【背景技術】
【０００２】
折版屋根において設置する雪止め具にあっては、従来、鉄鋼板をＬ形状に成形した羽根板又は短冊板を折版屋根の谷部分に垂下して使用したものが普及しているが、積雪の滑落時に雪の滑落重量が雪止め具に達した時に、折版屋根の頂点に「てこ」の原理で積雪の滑落重量が円起動状に作用して数倍に加重され、「てこ」の応力によって折版屋根の山部分を穿孔してしまう事故が発生することが指摘されていた。
【０００３】
また、従来公知の技術としては次に挙げるようなものが存していたが、いずれも専ら積雪の滑落阻止を目的としており、融雪機能を促進して消雪効果を高めることは一切考慮されていなかった。
【先行技術文献】
【特許文献】
【０００４】
【特許文献１】登録実用新案第３０４００７９号公報
【特許文献２】意匠登録第１２６９２７９号公報
【特許文献３】意匠登録第１３５２３９１号公報
【発明の概要】
【発明が解決しようとする課題】
【０００５】
そこで、本発明は、以上のような欠点を解消した雪止め具を提供することにより、山部と谷部とから成る折版屋根における折損等の事故の発生を防止するとともに積雪状態の溶解消去を早期に実現することを目的とするものである。
【課題を解決するための手段】
【０００６】
本発明は、谷部をはさんで左右両側の山部から成る折版屋根体の谷部において、全体が箱形状に成るように左右両傾斜面部に傾斜線材を設けるとともに、その前後両面部及び中間部に線材をそれぞれ架設した雪止め部材を設置して成るものである。
【０００７】
また本発明は、前記雪止め部材の左右両前傾斜線材の上端部の前後側部間に懸架した固定板の前後部に折版屋根体の山部に設置する曲折帯片を前後部に取付け、この両曲折帯片の直立部と折版屋根体の山部の反対側に設置する他の曲折帯片の直立部とを山部においてそれぞれ固着して成るものである。
【発明の効果】
【０００８】
第１に、折版屋根面に多量の積雪があっても、その谷部に設置される本発明に係る雪止め具の全体が線材による縦横斜めの構成によるものであるため、積雪の滑落阻止に十分な機能を発揮するのみならず、積雪に対して線材による切削力を発揮して細かく切断し消雪能力を高めることができる。
【０００９】
第２に、折版屋根面への取付構造は、各谷部分に設置する１個の雪止め部材が山部分では隣接する雪止め部材との間の連結状態を前後２個所で固着しているものであるから、積雪による加圧力が１点に集中することはなく分散することができ、山部分への折損事故等の発生はなくなることになる。
【００１０】
第３に、従来普及していた鉄鋼板のプレス成形物ではないから、材料コストが比較的安価になるとともに、線材による種々の立体的デザインの製作の余地が拡大し、平凡な形態に成る折版屋根において美観の発揮に貢献することができるようになる。
【図面の簡単な説明】
【００１１】
【図１】取付状態を示した全体の正斜視図
【図２】図１の正面図
【図３】図１の平面図
【図４】取付部材の平面図
【図５】図４の正面図
【図６】他の実施例の正斜視図
【発明を実施するための形態】
【００１２】
本発明に係る雪止め部材は前記手段のとおりの構成から成るものであるが、これを折版屋根体の各谷部分の適当位置に配置し、これを雪止め部材側の左右固定板の前後部に取付けた曲折帯片の山部分における直立部を合致させ、ここに螺子を締着するものである。
【００１３】
これによって折版屋根体の谷部分の積雪が滑落しようとして加圧力が雪止め部材にかかっても、各線材の内部に侵入している積雪による加重は分散するようになり、しかも雪止め部材内部には大小の空間が出来るようになり、空気の流通によって消雪能力が促進されることになる。
【実施例１】
【００１４】
ａは適当深さに谷部とこの谷部の左右両側部に適度の傾斜面を形成して成る折版屋根体を示し、この折版屋根体の構成は、図１に示すように、その山部において隣接する半屋根部を任意の接合手段によって連結するものや、図６に示すように、その山部において隣接する半屋根部を重合して連結するもの等がある。
【００１５】
１は全体を線材によって立体的に構成する雪止め部材で、図１乃至図５を参照されたい。
【００１６】
２は雪止め部材１の正面部を示し、この正面部には左右両側部の前傾斜線材３，３間の上側部，中間部及び下側部に、前上線材４，前中線材５及び前下線材６を架設し、この前上線材４，前中線材５及び前下線材６間には縦中線材７及び縦側線材８，８を架設する。
【００１７】
９，９は前記折版屋根体ａの谷部と左右傾斜面部の角部に位置するようになる前下線材６の左右側端部から後側方に延びる下側線材で、この下側線材の後側部間には後記後下線材２５が架設する。
【００１８】
１０，１０は前記前中線材５の左右側端部から後側方に延びる中側線材で、この中側線材は前記折版屋根体ａの左右傾斜面部に接する位置にある。
【００１９】
１１は前記前下線材６の後側方位置の左右の下側線材９，９間に架設した中下線材で、この中下線材の左右両側部には中傾斜線材１２，１２を設ける。
【００２０】
１３は前記前下線材６の上方位置の前記中側線材１０，１０間に架設した中中線材である。
【００２１】
１４は前記中中線材１３の後側方の中側線材１０，１０の後端部間に架設した後中線材で、この後中線材１４は前記前中線材５，左右の中側線材１０，１０とにより、本雪止め部材の中間枠部を構成する。
【００２２】
２５は前記中下線材１１の後側方の左右下側線材９，９間に架設した後下線材で、この後下線材の左右両側部には後傾斜線材２６，２６を設ける。
【００２３】
１５，１５は前記両前傾斜線材３，３の上端部の前後側部間に架設した上側線材で、この上側線材の前上線材４の後側方には中上線材１６および後上線材１７をそれぞれ架設する。
【００２４】
１８は正面部の前記縦中線材７の上端部から後側方の前上線材４，中上線材１６及び後上線材１７に架設する中頂線材で、この中頂線材の左右両側部には前記縦側線材８，８の上端部から後側方に側頂線材１９，１９を架設する。
【００２５】
２０は前記雪止め部材１の後側部を構成する支持部材で、この支持部材は任意方向に設けた線材により構成する。
【００２６】
２１，２１は前記雪止め部材１の左右両側の上側線材１５，１５に平行に、前上線材４，中上線材１６及び後上線材１７間に懸架する固定板で、この両固定板の前後端部は螺子２２，２２，２２，２２にて固着する。
【００２７】
２３，２３は折版屋根体の山部上に取付く曲折帯片で、この曲折帯片の一端部は前記固定板２１，２１に前記螺子２２，２２・・を介して止着し、曲折帯片の他端部の直立部２３’，２３’，２３’，２３’は、他の曲折帯片２３，２３・・の直立部２３’，２３’・・と折版屋根体の山部における接合部ｂをはさんで合致して螺子２４，２４，２４，２４にて固着するように成る。
【実施例２】
【００２８】
１’は全体を線材によって立体的に構成した他の雪止め部材の実施例で、その構成内容は実施例１と各線材の具体的な方向性が若干異なるだけであり、その目的及び効果は同じものである。（図６参照）
【符号の説明】
【００２９】
ａ                              折版屋根体
ｂ                              折版屋根の山部の接合部
１                              雪止め部材
１’                            他の雪止め部材
２                              正面部
３，３                          前傾斜線材
４                              前上線材
５                              前中線材
６                              前下線材
７                              縦中線材
８，８                          縦側線材
９，９                          下側線材
１０，１０                      中側線材
１１                            中下線材
１２，１２                      中傾斜線材
１３                            中中線材
１４                            後中線材
１５，１５                      上側線材
１６                            中上線材
１７                            後上線材
１８                            中頂線材
１９，１９                      側頂線材
２０                            支持部材
２１，２１                      固定板
２２，２２，２２，２２          螺子
２３，２３，２３，２３          曲折帯片
２３’，２３’，２３’，２３’  直立部
２４，２４，２４，２４          螺子
２５                            後下線材
２６                            後傾斜線材
【図１】
2013238070.tif 000003
【図２】
2013238070.tif 000004
【図３】
2013238070.tif 000005
【図４】
2013238070.tif 000006
【図５】
2013238070.tif 000007
【図６】
2013238070.tif 000008